(57)【特許請求の範囲】
【請求項１】
医療用器具であって、
患者の皮膚を突き通す尖った末端側の先端（６）を備えた中空の針（４）と、
該針（４）をハブ支持部材（24）に対して、第１の直ぐに使用できる位置と、第２の引込み針保護位置との間で移動させる手段（14）とを有し、前記ハブ支持部材には、前記針（４）を挿通させるための貫通孔（25）が形成され、
前記第２の引込み針保護位置において前記針に係合して前記針先端（６）が前記貫通孔（25）を通って戻るのを阻止する弾性手段（40）と、
前記ハブ支持部材（24）から後方に延びるハウジング（10）とを有し、
該ハウジング（10）に血が流れ込むのを阻止するための可撓性の中空トランク（23）が、前記ハウジング（10）内で前記ハブ支持部材（24）の後方に延び、
前記針を直ぐに使用できる位置では、前記トランクの中空内部が前記貫通孔（25）と整列する、
医療用器具。
【請求項２】
前記弾性手段（40）は、前記針（４）の前記第２の引込み針保護位置では、前記針のフランクに係合して前記針先端（６）及び前記可撓性トランク（23）を横方向に移動させ、これにより前記針先端（６）が前記貫通孔（25）に再び入らないようにするための自由端を有する弾性アームの形態をしている、請求項１記載の医療用器具。
【請求項３】
前記ハブ支持部材（24）及び前記トランク（23）は、一体品として成形されている、請求項１又は２記載の医療用器具。
【発明の詳細な説明】
【０００１】
【発明の属する技術分野】
本発明は、医療用器具に関し、特に、例えば患者の皮膚を突き通す尖った末端又は先端を備えた中空の針を含む静脈内カテーテルのような医療用器具に関する。
【０００２】
【従来の技術】
感染症、例えばエイズ（ＡＩＤ）や肝炎の存在により、尖った針先端で患者の皮膚を突き通すようなカテーテル器具を用いて患者に対する処置を行うときに医療従事者がさらされる危険性が大きく取り上げられている。医療従事者は、感染した状態の針との物理的な接触により、或いはこうした針が偶発的に刺さって（以下、「針刺し」という場合がある）感染していた。
医療従事者を不注意による針刺しから守るために、多くの解決手段が開発され、それによりカテーテル内に組み込まれた保護手段が使用後における針との物理的接触を防止し、それ故に不注意による針刺しを阻止するようになっている。
使用後に針を保護する公知の一器具は、欧州特許第５４４７５０１号に記載されている。この文献では、患者の皮膚を突き通す尖った末端側先端を備えた中空の針を有する注入カテーテル組立体が記載されている。直ぐに使用できる位置では、針は弾性部材を収納している剛性の前方部品に設けられた孔を通過する。弾性部材は、針のフランクによって引張力を受けて保持され、針の長手方向に対して実質的に直角に力を及ぼす。針の引込み位置、即ち、針先端が剛性前方部品の孔を通ってこれを越えて後ろへ移動し、そして主ハウジング内に位置すると、弾性部材は、針先端を横方向に押圧して針先端が上記孔に再び入らないようにする。
【０００３】
この器具は、比較的簡単で経済的な器具であり、しかも不注意による針刺しの危険を最小限に抑えるのに有効である。
【０００４】
【発明が解決しようとする課題】
しかしながら、この公知の器具の欠点は、針先端をいったん剛性前方部品の孔を通してこれを越えて後ろへ移動させると、血液がこの孔を通って流れてハウジング内に流入するのを阻止する手だてがないことである。
本発明の目的は、針保護手段内への血液の流入を阻止又は禁止する手段を有する医療用器具の一部を構成する針先端保護手段を提供することにある。
【０００５】
【課題を解決するための手段】
本発明によれば、医療用器具は、患者の皮膚を突き通す尖った末端側の先端を備えた中空の針と、針をハブ支持部材に対して、第１の直ぐに使用できる位置と、第２の引込み針保護位置との間で移動させる手段とを有し、ハブ支持部材には、針を挿通させるための貫通孔が形成され、更に、第２の引込み針保護位置において針に係合して針先端が貫通孔を通って戻るのを阻止する弾性手段を有し、可撓性の中空トランクが、ハブ支持部材の後方に延び、針を直ぐに使用できる位置では、前記トランクの中空内部は、貫通孔と整列し、針が前記中空内部を通って延びていることを特徴とする。
好ましくは、弾性手段は、針の第２の引込み針保護位置では、針のフランクに係合して針先端及びトランクを横方向に移動させ、それにより針先端が貫通孔に再び入らないようにするための自由端を有する弾性アームの形態をしている。
【０００６】
今、添付の図面を参照して本発明の実施形態を例示として説明する。
【０００７】
【発明の実施の形態】
図示のように、注入カテーテル組立体１が、尖った末端側先端６を備えた中空の針４を含む針組立体２を有し、針４は、針ハブ８から前方へ延びている。針ハブ８は、ハウジング１０内に摺動自在に設けられ、グリッパ１４を支持した突起部１２を有する。突起部１２は、グリッパ１４を操作して針ハブ８をハウジング１０の長さに沿って前後に往復動させることができるようにするためにハウジング１０に形成されたスロット１６を貫通している。針ハブ８は中空であり、フィルタ１８によって閉じられており、このフィルタ１８は針ハブ８と協働して血液フラッシュバック室２０を構成している。
ハウジング１０の末端側の前方端は、これに取り付けられたハブ支持部材２４によって効果的に閉鎖されている。ハブ支持部材２４から後方へ可撓性の中空管状トランク２３が延びている。トランク２３の中空内部は、針４を挿通させることができるようハブ支持部材２４に設けられた貫通孔又は貫通路２５と整列している。シュラウド２７も又、ハブ支持部材２４から後方へ延び、基端側の自由端２９を有している。ハブ支持部材２４の前面は、カニューレ組立体３０の基端側の端部を支持するための前方へ延びるボス２６を備えている。当該技術分野では周知のように、カニューレ組立体３０は、カニューレハブ３４に取り付けられた中空カニューレ３２を有する。
【０００８】
弾性アーム４０が、ハブ支持部材２４とハウジング１０との間に設けられており、この弾性アームは、ハウジング１０の内面とシュラウド２７の外面と針ハブ８の表面との間で後方に（図示のように）延びている。
図１及び図２に示すような直ぐに使用できる位置では、針ハブ８は、ハウジング１０の前方端に位置していて、シュラウド２７の基端側自由端２９に当接している。この位置では、針４は、中空トランク２３及び針ハブ２４の貫通孔２５を貫通し、更にカニューレ組立体３０を貫通してその末端側先端６が中空カニューレ３２の末端側自由端を越えて延びるようになっている。
患者の皮膚をいったん突き通すと、グリッパ１４を操作して針ハブ８をハウジング１０の基端部、即ち、図３に示す位置に向かって後方に移動させる。針ハブ８のこの移動により、針４は、中空カニューレ３２、カニューレハブ３４及びハブ支持部材２４の貫通孔２５を通って引き抜かれることになる。針ハブ８が弾性アーム４０の基端側自由端を通過すると同時に、弾性アーム４０は、下方へ動いて（図示のように）針４のフランクに当たり、それにより針４を横方向に撓ませて貫通孔２５と不整列状態にする。トランク２３は可撓性なので、針４の末端側先端６の動きに追従することになる。
【０００９】
この引込み位置では、今やカニューレ組立体３０をハブ支持部材２４のボス２６から取り外すことができる。上述の実施形態の特定の利点は、中空トランク２３内の針４がハウジング１０内への血液の流れを効果的に防止又は禁止することである。たとえ針４の先端６がトランク２３を貫いても、この針４は依然としてハウジング１０内への血液の流れを妨げるよう働くであろう。
針の先端６がハブ支持部材２４の貫通路２５を通過した後に針４の横方向移動を生じさせる弾性片持ちアーム４０の構成及び作用を説明したが、事実上、任意の弾性部材を、例えば欧州特許台５４４７５０１号に記載されているように使用できることは理解されよう。
さらに、ハブ支持部材２４及びトランク２３は、製造を安上がりにするために一体品として成形しても良い。
【図面の簡単な説明】
【図１】直ぐに使用できる位置又は状態にある針を備えた注入カテーテル組立体の縦断面図である。
【図２】図１のカテーテル組立体の部分拡大詳細図である。
【図３】図１と類似した縦断面図であるが、針をその引込み保護位置又は状態で示す図である。
【図４】図３のカテーテル組立体の部分拡大詳細図である。
【符号の説明】
１  注入カテーテル組立体
２  針組立体
４  針
６  針の末端側先端
８  針ハブ
１０  ハウジング
１４  グリッパ
２３  トランク
２４  ハブ支持部材
２５  貫通孔
４０  弾性アーム
【図１】
0003886218.tif 000002
【図２】
0003886218.tif 000003
【図３】
0003886218.tif 000004
【図４】
0003886218.tif 000005